(57)【特許請求の範囲】
【請求項１】
機器本体と、
該機器本体に形成され電池を収容する電池収容部と、
該電池収納部に蓋をする電池蓋とからなる電気機器において、
上記電池蓋の内側に該電池蓋から起立する羽片を設け、該電池蓋を前記電池収納部に填め込むことにより、上記羽片を、上記電池収容部に収納された電池を含む電気回路内に挿入して該回路を強制的に断にし、該電池蓋を前記電池収納部から外して上記羽片を該回路から取り除いて該電池蓋を逆にして電池収納部に填め込むとともに該羽片を収納部に収納することにより、該回路を接続するようにしたことを特徴とする電気機器。
【請求項２】
前記電池蓋の内側に、該電池蓋から起立した状態と該電池蓋側に伏せた状態となるように回動可能な可動リブを設け、該可動リブを起立した状態で該電池蓋を前記電池収納部に填め込むことにより、上記可動リブを、上記電池収容部に収納された電池を含む電気回路内に挿入して該回路を強制的に断にし、該電池蓋を前記電池収納部から外して上記可動リブを該回路から取り除くことにより、該回路を接続するようにしたことを特徴とする請求項１に記載の電気機器。
【発明の詳細な説明】
【０００１】
【発明の属する技術分野】
本発明は、機器本体内に電池を収容して該電池を使用する電気機器に関する。
【０００２】
【従来の技術】
従来、主に携帯用の電気機器として乾電池等を使用するものがある。このような機器において、電池がすぐに消耗して頻繁に電池を取り替える場合はよいが、家庭用電源も併用できるものなど、電池の消耗が少ないものはそれほど頻繁に電池を取り替えることがない。しかし、電池を機器本体に装填したまま未使用状態で長時間保管しておくと、微小電流により電池に液漏れが生じることがある。
【０００３】
【発明が解決しようとする課題】
このため、従来の電気機器では、機器を長時間使用しない場合は電池を機器から取り外しておくことが必要である。しかし、昨今は乾電池を使用する機会も多くその機器の種類の多いので、乾電池の管理が面倒である。例えば、乾電池は未使用のものと使用したものとを混ぜて使用するのは好ましくないので、一つの機器から取り外した乾電池は、それをまとめて個別に管理する必要があり、電池の管理が面倒である。
【０００４】
そこで、本発明は、電池を使用する電気機器において電池の管理を容易にすることを課題とする。
【０００５】
【課題を解決するための手段】
上記の課題を解決するためになした本発明の請求項１の電気機器は、
機器本体と、該機器本体に形成され電池を収容する電池収容部と、該電池収納部に蓋をする電池蓋とからなる電気機器において、上記電池蓋の内側に該電池蓋から起立する羽片を設け、該電池蓋を前記電池収納部に填め込むことにより、上記羽片を、上記電池収容部に収納された電池を含む電気回路内に挿入して該回路を強制的に断にし、該電池蓋を前記電池収納部から外して上記羽片を該回路から取り除いて該電池蓋を逆にして電池収納部に填め込むとともに該羽片を収納部に収納することにより、該回路を接続するようにしたことを特徴とする。
【０００６】
上記のように構成された請求項１の電気機器によれば、電池蓋を電池収納部に填め込むことにより、電池を電池収容部に収容した状態で上記電気回路を断にすることができ、電池の微小電流をなくして液漏れを防止することができる。また、使用時には、電池蓋を前記電池収納部から外して上記羽片を該回路から取り除いて該電池蓋を逆にして電池収納部に填め込むとともに該羽片を収納部に収納することにより、電気回路を接続することができる。したがって、電池を機器本体（電池収容部）に常に装填しておくことができ、特別に電池を管理する必要もない。
【０００７】
本発明の請求項２の電気機器は、請求項１に記載の電気機器であって、前記電池蓋の内側に、該電池蓋から起立した状態と該電池蓋側に伏せた状態となるように回動可能な可動リブを設け、該可動リブを起立した状態で該電池蓋を前記電池収納部に填め込むことにより、上記可動リブを、上記電池収容部に収納された電池を含む電気回路内に挿入して該回路を強制的に断にし、該電池蓋を前記電池収納部から外して上記可動リブを該回路から取り除くことにより、該回路を接続するようにしたことを特徴とする。
【０００８】
上記のように構成された請求項２の電気機器によれば、電池蓋を電池収納部に填め込むことにより可動リブを上記電池収容部に収納された電池を含む電気回路内に挿入して該回路を強制的に断にでき、電池を電池収容部に収容した状態で電池の微小電流をなくして液漏れを防止することができる。また、使用時には、電池蓋を前記電池収納部から外して上記可動リブを上記電気回路から取り除くことにより、該回路を接続することができる。したがって、電池を機器本体（電池収容部）に常に装填しておくことができ、特別に電池を管理する必要もない。
【０００９】
【発明の実施の形態】
以下、本発明の実施の形態を説明する。図１は第１の実施の形態の電気機器の要部斜視図である。携帯用電子楽器等の電気機器本体１の外ケース１１と電池蓋２は合成樹脂（プラスチック）で成形されており、外ケース１１には電池蓋２と略同形状の開口部１１ａが形成され、その一辺には切欠き部１１ｂが形成されている。電気機器本体１には開口部１１ａを臨むように電池収容部１Ａが形成されており、電池収容部１Ａの内部には導電性を有する弾性板で形成された陽極接点１２と、導電性を有する弾性部材でスプリング状に形成された陰極接点１３とが対向して配設されている。
【００１０】
電池収容部１Ａ内には乾電池３が収容され、乾電池３の陽電極３ａが陽極接点１２に接触され、乾電池３の陰電極３ｂが陰極接点１３と接触される。このときスプリング状の陰極接点１３は弾性変形し、この陰極接点１３の弾性回復力により、陽電極３ａと陽極接点１２とが、陰電極３ｂと陰極接点１３とがそれぞれ圧接される。
【００１１】
電池蓋２は、外ケース１１の開口部１１ａに填る蓋板２１と、この蓋板２１の一辺に成形された弾性フック２２と、弾性フック２２の反対側の一辺に形成された一対の係合爪２３と、蓋板２１の内面（蓋をしたときに内側になる面）に配設された「羽片」としての可動リブ２４とを具備している。弾性フック２２は屈曲部２２ａ，２２ｂ、係合部２２ｃおよび摘み部２２ｄを有し、主に屈曲部２２ａ，２２ｂの弾性変形により、図の矢印の方向への変形に対して弾性回復力を有する。
【００１２】
可動リブ２４は、軸受２５によって片側端部の両端で軸支されており、図の矢印のように回動可能になっている。そして、可動リブ２４は、蓋板２１に対して直角に起立した状態（図に実線で示した状態）と、蓋板２１に対して平行に伏せた状態（図に二点鎖線で示した状態）とに切り換えることができる。なお、可動リブ２４と軸受２５との間には適度な接触摩擦が生じるように設定されており、可動リブ２４は手動では回動するが、自然には回動しないようになってる。
【００１３】
以上の構成により、乾電池３を電池収容部１Ａに装填した状態で、電池蓋２の可動リブ２４を起立した状態にし、電池蓋２で電池収容部１Ａに蓋をする。このとき、可動リブ２４の先端（係合爪２３寄りの先端）を乾電池３の陽電極３ａと陽極接点１２との間に挿入し、係合爪２３を開口部１１ａの一辺（切欠き部１１ｂと反対側の辺）の下に係合させるとともに、弾性フック２２を切欠き部１１ｂ内に挿入して、蓋板２１を開口部１１ａに填め込む。これにより、弾性フック２２の係合部２２ｃが切欠き部１１ｂの下側に係合し、電池蓋２が電池収容部１Ａに蓋をした状態で固定されるとともに、可動リブ２４が乾電池３の陽電極３ａと陽極接点１２との間に挿入された状態となる。
【００１４】
陽極接点１２は電気機器本体１内の所定の回路に接続されているが、可動リブ２４は合成樹脂でできているので電気的に高い絶縁性を有しており、乾電池３の陽電極３ａと陽極接点１２とが絶縁される。すなわち、「羽片」としての可動リブ２４を乾電池３を含む電気回路内に挿入して該回路を強制的に断にした状態となるので、乾電池３を装填して長時間放置しておいても液漏れが生じることがない。したがって、電気機器本体１が未使用状態でも、液漏れ防止のためにわざわざ乾電池３を取り外しておく必要がない。
【００１５】
また、電気機器本体１を使用するときは、可動リブ２４を伏せた状態（図１の二点鎖線の状態）で電池蓋２で電池収容部１１に蓋をすればよい。すなわち「羽片」を電気回路から取り除くことにより該回路を接続した状態にし、メインスイッチ等をオンにして使用する。なお、電池蓋２を開けるときは、弾性フック２２の摘み部２２ｄを押して、係合部２２ｃを切欠き部１１ｂの下側から外し、そのまま引き上げれば開けることができる。
【００１６】
図２は第２の実施の形態の電気機器の要部斜視図であり、第１の実施の形態と同様の要素には図１と同符号を付記して詳細な説明は省略する。この実施の形態における電池蓋２′は、「羽辺」としてのリブ２４′が蓋板２１と一体成形されたものであり、リブ２４′は蓋板２１に対して起立している。
【００１７】
外ケース１１の開口部１１ａ′は電池蓋２′と略同形状であるが、第１の切欠き部１１ｂと対向する辺には、第１の切欠き部１１ｂと同様に電池蓋２′の弾性フック２２が係合するような第２の切欠き部１１ｂ′が形成されている。また、開口部１１ａ′は電池収容部１Ａの陰極接点１３の位置よりもさらに外側に延長され、リブ２４′を収納できるリブ収納部１４が形成されている。
【００１８】
ここで、外ケース１１の開口部１１ａ′の形状（切欠き部１１ｂ，１１ｂ′以外の部分）は、蓋板２１に整合する矩形になっているが、第１および第２の切欠き部１１ｂ，１１ｂ′はこの開口部１１ａ′の中心点に対して互いに点対称となる位置に形成されている。これにより、電池蓋２′は、第１の実施の形態と同様に弾性フック２２を第１の切欠き部１１ｂに係合させて開口部１１ａ′に蓋をした状態（以下、「第１の状態」という。）、または、弾性フック２２を第２の切欠き部１１ｂ′に係合させて開口部１１ａ′に蓋をした状態（以下、「第２の状態」という。）の、２通りの状態をとることができる。
【００１９】
そして、第１の状態では、リブ２４′が乾電池３の陽電極３ａと陽極接点１２との間に挿入された状態となり、第１の実施の形態と同様に乾電池３を装填して長時間放置しておいても液漏れが生じることがない。また、第２の状態では、リブ２４′はリブ収納部１４内に収納されるだけであり、乾電池３を含む電気回路が接続された状態となり、メインスイッチ等をオンにして電気機器本体１を使用することができる。
【００２０】
図３は第３の実施の形態の電気機器の要部断面図であり、第１および第２の実施の形態と同様の要素には図１および図２と同符号を付記して詳細な説明は省略する。この第３の実施の形態における開口部１１ａ″と電池蓋２″の関係は、第２の実施の形態における開口部１１ａ′と電池蓋２′の関係と同様であるが、この第３の実施の形態における電池蓋２″は「羽片」として第１の実施の形態と同様な可動リブ２４を備えている。
【００２１】
電池収容部１Ａ″は複数の乾電池３を装填するものである。電池収容部１Ａ″内には、導電性を有する陽極接点１２′と、導電性を有する弾性板で形成された陰極接点１３′とが対向して配設されており、複数の乾電池３が陽極接点１２′と陰極接点１３′との間に直列に接続して配設される。
【００２２】
陰極接点１３′は、乾電池３の陰電極３ｂに接触する電池側端部１３ａ′と、電池収容部１Ａ″の側壁１Ａ−１″に形成された溝から電池収容部１Ａ″の外側（本体１の内部）に架設された外側端部１３ｂ′とを有している。また、電池収容部１Ａ″のフランジ部１Ａ−２″の裏側（本体１の内部側）には、導電性を有する弾性板で形成された接続端子４が、陰極接点１３′の外側端部１３ｂ′に対向して配設されている。
【００２３】
電池側端部１３ａ′、外側端部１３ｂ′および接続端子４はそれぞれ曲げ加工されており、電極側端部１３ａ′はその弾性復帰力により乾電池３の陰電極３ｂに圧接されるようになっている。また、外側端部１３ｂ′と接続端子４はその弾性復帰力により互いに圧接されるようになている。そして、接続端子４と陽極接点１２′は電気機器本体１内の所定の回路に接続されており、陽極接点１２′、陰極接点１３′および接続端子４により乾電池３を含む電気回路が構成される。さらに、電池収容部１Ａ′のフランジ部１Ａ−２″には、陰極接点１３′の外側端部１３ｂ′と接続端子４との接触面に対応する位置にリブ挿入溝１Ａ−３″が形成されている。
【００２４】
以上の構成により、電池蓋２″の可動リブ２４を起立した状態（図３の実線で示した状態）にし、電池蓋２″で電池収容部１Ａ″に蓋をすると、可動リブ２４が、リブ挿入溝１Ａ−３″を通して陰極接点１３′の外側端部１３ｂ′と接続端子４先端との間に挿入された状態となる。したがって、外側端部１３ｂ′と接続端子４とが絶縁されることになり、乾電池３を電池収容部１Ａ″に装填したまま長時間放置しておいても液漏れが生じることがない。
【００２５】
また、電気機器本体１を使用するときは、可動リブ２４を伏せた状態にし、図３に二点鎖線で示したように、電池蓋２″を反転して可動リブ２４が乾電池３側になるようにし、そのまま電池収容部１１に蓋をすればよい。これにより、可動リブ２４が外側端部１３ｂ′と接続端子４先端との間から取り除かれ、乾電池３を含む電気回路を接続状態とし、メインスイッチ等をオンにして使用することができる。
【００２６】
なお、上記各実施の形態では乾電池３の電極の近傍で回路を断にするようにしているので、乾電池３に導通している部材が少なくなって微小電流を防止する効果がきわめて高くなり、液漏れ防止効果が高くなる。また、電池を含む回路を断にするのは、電池の陽電極側でも陰電極側の何れの箇所でも良いが、両電極側で断にするとさらに効果的である。
【００２７】
なお、本発明においては、電池の数は実施の形態に限定されるものでない。また、本発明は各種の電気機器に適用できることはいうまでもない。さらに、電池蓋を固定する構造も実施の形態に限定されるものではない。
【００２８】
【発明の効果】
以上説明したように本発明の請求項１の電気機器によれば、電池蓋を電池収納部に填め込むことにより、電池を電池収容部に収容した状態で電気回路を断にすることができ、電池の微小電流をなくして液漏れを防止することができ、使用時には、電池蓋を前記電池収納部から外して上記羽片を該回路から取り除いて該電池蓋を逆にして電池収納部に填め込むとともに該羽片を収納部に収納することにより、電気回路を接続することができるので、電池を機器本体に常に装填しておくことができ、特別に電池を管理する必要もない。
【００２９】
本発明の請求項２の電気機器によれば、電池蓋を電池収納部に填め込むことにより可動リブを上記電池収容部に収納された電池を含む電気回路内に挿入して該回路を強制的に断にするようにしたので、電池を電池収容部に収容した状態で電池の微小電流をなくして液漏れを防止することができ、使用時には、電池蓋を前記電池収納部から外して上記可動リブを上記電気回路から取り除くことにより、該回路を接続することができ、電池を機器本体に常に装填しておくことができ、特別に電池を管理する必要もない。
【図面の簡単な説明】
【図１】本発明の第１の実施の形態の電気機器の要部斜視図である。
【図２】本発明の第２の実施の形態の電気機器の要部斜視図である。
【図３】本発明の第３の実施の形態の電気機器の要部断面図である。
【符号の説明】
１…電気機器本体、１Ａ，１Ａ″…電池収容部、２，２′，２″…電池蓋、３…乾電池、２４…可動リブ（羽片）、２４′…リブ（羽片）。
【図１】
0003941260.tif 000002
【図２】
0003941260.tif 000003
【図３】
0003941260.tif 000004